(57)【要約】  かご枠は、水平に延びる下枠と、下枠の上方に配置された上枠と、上下方向へ延び、下枠及び上枠のそれぞれの端部を互いに連結する一対の縦枠とを有している。下枠上には、かご床が載せられている。かご床の縁部には、各縦枠を含む平面を挟むように配置された一対の縦柱の下端部が固定されている。各縦枠及び各縦柱のそれぞれの上端部間には、複数の横部材が固定されている。上記下枠の中間部には、かご床の荷重を受けるための支え装置が設けられている。支え装置は、下枠を挟んだ状態で下枠の長さ方向と交差する交差方向に沿ってそれぞれ配置された一対の支持体を有している。一方の縦枠と一方の縦柱との間、及び他方の縦枠と他方の縦柱との間の少なくともいずれか一方には、縦枠に一端部が接続され、かご床の縁部に他端部が接続された第１斜め部材と、縦枠に一端部が接続され、横部材に他端部が接続された第２斜め部材とが配置されている。
2007066402.tif 000002
【特許請求の範囲】
【請求項１】
水平に延びる下枠と、上記下枠の上方に配置された上枠と、上下方向へ延び、上記下枠及び上記上枠のそれぞれの端部を互いに連結する一対の縦枠とを有するかご枠、
各上記縦枠間に配置され、上記下枠上に載せられたかご床、
各上記縦枠を含む平面を挟むように配置され、かつ上記かご床の縁部に下端部が固定され、上下方向へ延びる一対の縦柱、
各上記縦枠及び各上記縦柱のそれぞれの上端部間に固定された複数の横部材、
上記下枠を挟んだ状態で上記下枠の中間部にそれぞれ設けられ、かつ上記下枠の長さ方向と交差する交差方向に沿ってそれぞれ配置された一対の支持体を有し、上記かご床の荷重を受けるための支え装置、
一方の上記縦枠と一方の上記縦柱との間、及び他方の上記縦枠と他方の上記縦柱との間の少なくともいずれか一方に配置され、上記縦枠に一端部が接続され、上記かご床の縁部に他端部が接続された第１斜め部材、及び
一方の上記縦枠と一方の上記縦柱との間、及び他方の上記縦枠と他方の上記縦柱との間の少なくともいずれか一方に配置され、上記縦枠に一端部が接続され、上記横部材に他端部が接続された第２斜め部材
を備えていることを特徴とするエレベータのかご。
【請求項２】
水平に延びる下枠と、上記下枠の上方に配置された上枠と、上下方向へ延び、上記下枠及び上記上枠のそれぞれの端部を互いに連結する一対の縦枠とを有するかご枠、
各上記縦枠間に配置され、上記下枠上に載せられたかご床、
上記下枠を挟んだ状態で上記下枠の中間部にそれぞれ設けられ、かつ上記下枠の長さ方向と交差する交差方向に沿ってそれぞれ配置された一対の支持体を有し、上記かご床の荷重を受けるための一対の支え装置、
上記縦枠に一端部が接続され、上記かご床の縁部の上記縦枠よりも上記支持体に近い部分に他端部が接続された斜め部材
を備えていることを特徴とするエレベータのかご。
【請求項３】
上記支持体は、上下方向へ間隔を置いて配置された複数のねじにより上記下枠に固定されていることを特徴とする請求項１又は請求項２に記載のエレベータのかご。
【請求項４】
上記下枠には、上記下枠から下方へ突出する突出部材が設けられ、
上記支持体は、上記かご床に対して傾斜され、上記突出部材及び上記かご床間に接続された傾斜部材を有していることを特徴とする請求項１又は請求項２に記載のエレベータのかご。
【請求項５】
上記下枠には、上記下枠から下方へ突出する突出部材が設けられ、
上記支持体は、上記下枠から上記交差方向へ延びる水平部材と、上記水平部材に対して傾斜され、上記突出部材及び上記水平部材間に接続された傾斜部材とを有していることを特徴とする請求項１又は請求項２に記載のエレベータのかご。
【請求項６】
上記支持体と上記かご床との間には、上記かご床が水平になるように調整するためのかご床水平調整装置が設けられていることを特徴とする請求項１又は請求項２に記載のエレベータのかご。
【請求項７】
上記かご床水平調整装置は、上記かご床が載せられた調整ボルトを有し、
上記かご床は、上記調整ボルトの上記支持体に対する上下方向についての位置の調整により、水平に調整されるようになっていることを特徴とする請求項６に記載のエレベータのかご。
【請求項８】
上記かご床水平調整装置は、上記かご床に固定されたかご床固定部材と、上記支持体に取り付けられた調整ボルトと、上記調整ボルトに螺合されるナットとを有し、
上記調整ボルトには、上記調整ボルトの軸線に対して偏芯した円筒部が設けられ、
上記かご床固定部材には、上記円筒部が嵌め合わされる嵌合部が設けられており、
上記かご床は、上記嵌合部に嵌め合わされた上記円筒部の角度を調整することにより、水平に調整されるようになっていることを特徴とする請求項６に記載のエレベータのかご。
【請求項９】
上記かご床水平調整装置は、上記かご床に固定されたかご床固定部材と、上記支え部材に取り付けられたボルトと、上記ボルトに螺合される調整ナットとを有し、
上記調整ナットには、上記調整ナットのねじ穴の軸線に対して偏芯した円筒部が設けられ、
上記かご床固定部材には、上記円筒部が嵌め合わされる嵌合部が設けられており、
上記かご床は、上記嵌合部に嵌め合わされた上記円筒部の角度を調整することにより、水平に調整されるようになっていることを特徴とする請求項６に記載のエレベータのかご。
【請求項１０】
上記かご床の下面には、接続部材が固定され、
上記傾斜部材は、傾斜部材本体と、上記傾斜部材本体に設けられ、上記接続部材に接続されるブロックとを有し、
上記かご床は、上記ブロックの上記傾斜部材本体に対する位置の調整により、水平に調整されるようになっていることを特徴とする請求項４又は請求項５に記載のエレベータのかご。
【発明の詳細な説明】
【技術分野】
【０００１】
この発明は、昇降路内を昇降されるエレベータのかごに関するものである。
【背景技術】
【０００２】
従来、かご床に作用する偏荷重を支持するために、かご床が載せられた下枠に支え部材を固定したエレベータのかごが提案されている。支え部材は、下枠の長手中間の両側にそれぞれ設けられている。また、支え部材の一端部は、かご床の下枠から離れた部分に固定され、支え部材の他端部は、下枠に固定されている（特許文献１参照）。【０００３】
【特許文献１】特開２０００−１９１２５５号公報
【発明の開示】
【発明が解決しようとする課題】
【０００４】
しかし、かご床が受けた偏荷重の大部分は、支え部材及び下枠を介して、曲げの力となってかご枠の側枠に集中してしまうので、側枠の強化を図る必要がある。従って、側枠が大形化してしまう。【０００５】
この発明は、上記のような課題を解決するためになされたものであり、かご床が受ける偏荷重を簡単な構成で容易に支持することができるエレベータのかごを得ることを目的とする。
【課題を解決するための手段】
【０００６】
この発明によるエレベータのかごは、水平に延びる下枠と、下枠の上方に配置された上枠と、上下方向へ延び、下枠及び上枠のそれぞれの端部を互いに連結する一対の縦枠とを有するかご枠、各縦枠間に配置され、下枠上に載せられたかご床、各縦枠を含む平面を挟むように配置され、かつかご床の縁部に下端部が固定され、上下方向へ延びる一対の縦柱、各縦枠及び各縦柱のそれぞれの上端部間に固定された複数の横部材、下枠を挟んだ状態で下枠の中間部にそれぞれ設けられ、かつ下枠の長さ方向と交差する交差方向に沿ってそれぞれ配置された一対の支持体を有し、かご床の荷重を受けるための支え装置、一方の縦枠と一方の縦柱との間、及び他方の縦枠と他方の縦柱との間の少なくともいずれか一方に配置され、縦枠に一端部が接続され、かご床の縁部に他端部が接続された第１斜め部材、及び一方の縦枠と一方の縦柱との間、及び他方の縦枠と他方の縦柱との間の少なくともいずれか一方に配置され、縦枠に一端部が接続され、横部材に他端部が接続された第２斜め部材を備えている。
【図面の簡単な説明】
【０００７】
【図１】この発明の実施の形態１によるエレベータのかごを示す斜視図である。
【図２】図１のかご床及び支え装置を示す断面図である。
【図３】この発明の実施の形態２によるエレベータのかごに設けられたかご床、支え装置及びかご床水平調整装置を示す断面図である。
【図４】図３のかご床水平調整装置を示す分解斜視図である。
【図５】図３のかご床水平調整装置を示す拡大図である。
【図６】図５の円筒部を反時計回りに回転させたときのかご床水平調整装置を示す拡大図である。
【図７】図５の円筒部を時計回りに回転させたときのかご床水平調整装置を示す拡大図である。
【図８】この発明の実施の形態３によるエレベータのかごに設けられたかご床、支え装置及びかご床水平調整装置を示す断面図である。
【図９】図８のかご床水平調整装置を示す分解斜視図である。
【図１０】図８のかご床水平調整装置を示す拡大図である。
【図１１】図１０の円筒部を反時計回りに回転させたときのかご床水平調整装置を示す拡大図である。
【図１２】図１０の円筒部を時計回りに回転させたときのかご床水平調整装置を示す拡大図である。
【図１３】この発明の実施の形態４によるエレベータのかごを示す斜視図である。
【図１４】この発明の実施の形態５によるエレベータのかごに設けられた支え装置を示す正面図である。
【図１５】図１４の支え装置を示す側面図である。
【図１６】図１４のピンとブロックとの間隔が広がる方向へブロックを変位させたときの支え装置を示す正面図である。
【図１７】この発明の実施の形態６によるエレベータのかごを示す斜視図である。
【図１８】この発明の実施の形態７によるエレベータのかごを示す斜視図である。
【図１９】この発明の実施の形態８によるエレベータのかごを示す斜視図である。
【発明を実施するための最良の形態】
【０００８】
以下、この発明の好適な実施の形態について図面を参照して説明する。
実施の形態１．
図１はこの発明の実施の形態１によるエレベータのかごを示す斜視図である。なお、図１は、斜め下方から見たときのかごを示す斜視図である。図において、昇降路１内には、図示しない複数本の主索により、エレベータのかご２が吊り下げられている。各主索は、昇降路１内に設けられた巻上機（図示せず）の駆動力により移動される。かご２は、各主索の移動により、昇降路１内に設置された一対のかごガイドレール３に沿って昇降路１内を昇降される。【０００９】
かご２は、かご枠４と、かご枠４内に配置されたかご室５とを有している。かご枠４は、水平に延びる下枠６と、下枠６の上方に配置された上枠７と、上下方向へ延び、下枠６及び上枠７のそれぞれの端部を互いに連結する一対の縦枠８，９とを有している。下枠６及び上枠７のそれぞれの両端部には、各かごガイドレール３に案内される複数のガイドシュー１０が設けられている。なお、各主索は、上枠７に接続されている。【００１０】
かご室５は、下枠６上に載せられたかご床１１と、かご床１１上に設けられたかご室本体１２とを有している。かご室本体１２には、図示しないかご出入口が設けられている。【００１１】
かご床１１は、各縦枠８，９間に水平に配置されている。この例では、かご床１１は、矩形状の板状部材とされている。従って、かご床１１の縁部は、互いに平行な一対の縦方向縁部と、各縦方向縁部に垂直で、互いに平行な一対の横方向縁部とから構成されている。また、かご床１１は、各縦方向縁部がかご室５の幅方向（かご出入口の間口方向、図１の左右方向）に対して垂直になり、各横方向縁部がかご室５の奥行き方向に対して垂直になるように、配置されている。なお、この例では、かご床１１の４つの角部のうち、互いに対角の位置にある２つの角部が第１の角部とされ、残りの２つの角部が第２の角部とされている。【００１２】
縦枠８は一方の縦方向縁部に対向し、縦枠９は他方の縦方向縁部に対向している。また、各縦枠８，９は、それぞれの第１の角部から、かご室５の奥行き寸法の１／４以下の寸法だけ、かご室５の奥行き方向内側へずれた位置に配置されている。従って、下枠６は、かご室５の幅方向に対してかご室５の奥行き方向へ傾斜されている。また、各縦枠８，９を含む平面は、かご出入口を含む平面に対して傾斜されている。【００１３】
かご床１１の縁部には、上下方向へ延びる一対の縦柱１３，１４の下端部が固定されている。各縦柱１３，１４は、各縦枠８，９を含む平面を挟むように配置されている。この例では、各縦柱１３，１４は、各第２の角部における縦方向縁部にそれぞれ固定されている。【００１４】
各縦枠８，９及び各縦柱１３，１４のそれぞれの上端部間には、かご室５の奥行き方向へ延びる一対の奥行き方向横部材１５と、かご室５の幅方向へ延びる一対の幅方向横部材１６とがそれぞれ固定されている。【００１５】
一方の縦枠８と一方の縦柱１３との間には、縦枠８に一端部が接続され、かご床１１の縦方向縁部に他端部が接続された第１の斜め部材１７と、縦枠８に一端部が接続され、一方の奥行き方向横部材１５に他端部が接続された第２の斜め部材１８とが配置されている。【００１６】
第１の斜め部材１７の一端部は、縦枠８の上部に接続されている。第２の斜め部材１８の一端部は、縦枠８の下部に接続されている。即ち、第２の斜め部材１８の一端部は、第１の斜め部材１７の一端部よりも下方に位置している。また、第１の斜め部材１７の他端部は、縦方向縁部の縦枠８よりも縦柱１３に近い部分に接続されている。第２の斜め部材１８の他端部は、一方の奥行き方向横部材１５の縦枠８よりも縦柱１３に近い部分に接続されている。【００１７】
他方の縦枠９と他方の縦柱１４との間には、縦枠９に一端部が接続され、かご床１１の縦方向縁部に他端部が接続された第１の斜め部材１９と、縦枠９に一端部が接続され、かご床１１の縦方向縁部に他端部が接続された第２の斜め部材２０とが配置されている。【００１８】
第１の斜め部材１９の一端部は、縦枠９の上部に接続されている。第２の斜め部材２０の一端部は、縦枠９の下部に接続されている。即ち、第２の斜め部材２０の一端部は、第１の斜め部材１９の一端部よりも下方に位置している。また、第１の斜め部材１９の他端部は、縦方向縁部の縦枠９よりも縦柱１４に近い部分に接続されている。第２の斜め部材２０の他端部は、他方の奥行き方向横部材１５の縦枠９よりも縦柱１４に近い部分に接続されている。【００１９】
下枠６の中間部には、かご床１１の荷重を受けるための支え装置２１が設けられている。支え装置２１は、下枠６から下方へ突出する突出部材２２と、下枠６を挟んだ状態で下枠６及び突出部材２２に固定された一対の支え部材（支持体）２３とを有している。【００２０】
各支え部材２３は、下枠６の長さ方向と交差する方向（交差方向）に沿ってそれぞれ配置されている。この例では、かご床１１の各第２の角部と下枠６の中央部とを結ぶ直線上に各支え部材２３が配置されている。【００２１】
各支え部材２３の上下方向についての寸法は、第２の角部側よりも下枠６側が大きくなっている。即ち、各支え部材２３は、上下方向についての寸法が下枠６から離れるに従って小さくなるように形成された台形状の板状部材である。【００２２】
各支え部材２３は、上下方向へ互いに間隔を置いて配置された複数のねじ２４により下枠６及び突出部材２２に固定されている。【００２３】
図２は、図１のかご床１１及び支え装置２１を示す断面図である。図において、かご床１１と支え部材２３との間には、かご床１１が水平になるように調整するためのかご床水平調整装置２５が設けられている。この例では、かご床水平調整装置２５は、支え部材２３の下枠６から離れた側の先端部に設けられている。【００２４】
かご床水平調整装置２５は、支え部材２３に水平に固定された固定部２６と、固定部２６のねじ穴に螺合され、固定部２６に垂直に通された調整ボルト２７と、調整ボルト２７の固定部２６に対する位置を固定するための止めナット２８とを有している。【００２５】
調整ボルト２７上には、かご床１１の第２の角部が載せられている。この例では、調整ボルト２７は、かご床１１の下面に当接されている。また、調整ボルト２７の固定部２６に対する上下方向についての位置は、固定部２６のねじ穴に対する調整ボルト２７の螺合量の調整により、調整可能になっている。従って、固定部２６のねじ穴に対する調整ボルト２７の螺合量の調整により、かご床１１の支え部材２３に対する傾きが調整され、かご床１１が水平に調整される。【００２６】
また、かご床１１及び支え部材２３には、かご床１１の支え部材２３に対する位置を固定するための位置固定装置２９が設けられている。位置固定装置２９は、かご床１１の下面に固定された固定金具３０と、固定金具３０を支え部材２３に締着するための締着ボルト３１とを有している。【００２７】
固定金具３０は、支え部材２３の側面に沿って配置されている。固定金具３０には、長穴３２が上下方向に沿って設けられている。固定金具３０は、長穴３２に通された締着ボルト３１により支え部材２３に締着される。固定金具３０の支え部材２３に対する位置は、締着ボルト３１の支え部材２３への締着によって固定される。また、固定金具３０は、締着ボルト３１を緩めることにより、支え部材２３に対して長穴３２に沿って変位可能となる。【００２８】
次に、かご床１１を水平にするための手順について説明する。まず、締着ボルト３１及び止めナット２８を緩める。この後、かご床１１が水平になるように調整ボルト２７の螺合量を調整する。この後、止めナット２８を締め付けて調整ボルト２７の固定部２６に対する位置を固定する。この後、締着ボルト３１を締め付けて固定金具３０の支え部材２３に対する位置を固定する。【００２９】
このようなエレベータのかごでは、かご床１１が載せられた下枠６の中間部に、かご床１１の荷重を受けるための支え装置２１が設けられているとともに、第１の斜め部材１７が縦枠８及びかご床１１の縁部に接続され、第２の斜め部材１８が縦枠８及び奥行き方向横部材１５に接続されているので、例えばかご床１１の第２の角部に荷重が集中し、かご床１１が偏荷重を受けた場合であっても、偏荷重を分散することができ、各縦枠８，９にかかる曲げ応力を低減することができる。【００３０】
即ち、例えば一方の第２の角部に荷重が集中して、かご床１１が偏荷重を受けると、偏荷重の一部は、偏荷重を受けた第２の角部に近い側の第１の斜め部材１７と、かご床１１の縦方向縁部とがなすトラス構造を介して、一方の縦枠８に伝達され、残りの偏荷重の一部は、一方の支え部材２３から、下枠６、他方の支え部材２３、他方の縦柱１４の順に伝達され、他方の奥行き方向横部材１５と、他方の第２の斜め部材２０とがなすトラス構造を介して、他方の縦枠９に伝達される。各縦枠８，９に伝達された荷重は、各ガイドシュー１０を介して、各かごガイドレール３によって支持される。従って、かご床１１が受けた偏荷重の一部を、トラス構造を介して各縦枠８，９に伝達させるようにすることができ、各縦枠８，９に作用する曲げ応力を低減することができる。【００３１】
これにより、かご床１１や各縦枠８，９、下枠６を強化する必要がなくなり、材料コストの増加やかご２の重量の増加を防止することができる。従って、かごガイドレール３や主索、巻上機等の機器の仕様を標準仕様とすることができ、かご床１１が受ける偏荷重を簡単な構成で容易に支持することができる。【００３２】
また、このような構造によって、かご床１１が偏荷重を受けた場合であっても、かご床１１に発生する曲げや引っ張り力を小さくすることができるので、かご床１１の構造の自由度を広げることができる。例えば、かご床の構造を防振材が組み込まれた構造とすることができ、かご２内の乗客の乗り心地の低下を防止することができる。この場合、かご床は、下枠６に載せられた矩形状の床支持枠と、床支持枠の四隅に配置された４つの防振材と、各防振材上に載せられた床部材とから構成される。また、支え部材２３、第１の斜め部材１７及び縦柱１３，１４は、床支持枠に接続される。【００３３】
また、各支え部材２３は、上下方向へ間隔を置いて配置された複数のねじ２４により下枠６に固定されているので、各支え部材２３の下枠６に対する上下方向についての固定強度を大きくすることができる。従って、かご床１１が偏荷重を受けた場合であっても、かご床１１の大きな曲げの発生の防止をさらに図ることができる。【００３４】
また、各支え部材２３とかご床１１との間には、かご床１１が水平になるように調整するためのかご床水平調整装置２５が設けられているので、かご床１１が何らかの原因で傾いた場合であっても、かご床１１を水平に調整することができる。【００３５】
また、かご床水平調整装置２５は、かご床１１が載せられた調整ボルト２７を有し、調整ボルト２７の支え部材２３に対する上下方向についての位置の調整により、かご床１１を水平に調整するようになっているので、かご床１１を簡単な構成で水平に調整することができる。【００３６】
実施の形態２．
図３は、この発明の実施の形態２によるエレベータのかご２に設けられたかご床１１、支え装置２１及びかご床水平調整装置を示す断面図である。また、図４は、図３のかご床水平調整装置を示す分解斜視図である。図において、かご床１１と支え部材２３との間には、かご床１１を水平に調整するためのかご床水平調整装置４１が設けられている。かご床水平調整装置４１は、かご床１１に固定されたかご床固定部材４２と、かご床固定部材４２を支え部材２３に締着するための調整ボルト４３及び締結ナット４４とを有している。【００３７】
調整ボルト４３は、支え部材２３に設けられたボルト通し穴４５に通される棒状の通し部４６と、通し部４６の一端部に設けられた頭部４７と、通し部４６の軸線方向について頭部４７に隣接し、かつ通し部４６に固定され、通し部４６の軸線に対して偏芯した円筒部４８とを有している。従って、円筒部４８及び通し部４６のそれぞれの中心軸線は、互いに異なり、かつ平行となっている。通し部４６には、締結ナット４４が螺合されるようになっている。【００３８】
かご床固定部材４２は、支え部材２３の側面に沿って配置されている。また、かご床固定部材４２には、通し部４６が緩く通される貫通穴４９が設けられている。貫通穴４９の内径は、ボルト通し穴４５の内径よりも大きくなっている。また、かご床固定部材４２には、円筒部４８が嵌め合わされる円筒状の嵌合部（凹部）５０が設けられている。嵌合部５０の内径は、貫通穴４９の内径よりも大きくされている。また、嵌合部５０は、貫通穴４９と同軸にかご床固定部材４２に設けられている。従って、貫通穴４９に通された通し部４６は、嵌合部５０に嵌め合わされた円筒部４８が周方向へ回転されることにより、貫通穴４９内で円周上を移動される。【００３９】
かご床固定部材４２は、貫通穴４９及びボルト通し穴４５の順に通された通し部４６と、通し部４６の先端部に螺合された締結ナット４４とにより、支え部材２３に締着されるようになっている。また、かご床固定部材４２の支え部材２３に対する上下方向についての位置は、嵌合部５０に嵌め合わされた円筒部４８の周方向についての角度を調整することにより、調整される。従って、かご床１１は、かご床固定部材４２の支え部材２３に対する位置の調整により、水平に調整可能になっている。他の構成は実施の形態１と同様である。【００４０】
次に、かご床１１を水平に調整するときの手順について説明する。図５は、図３のかご床水平調整装置４１を示す拡大図である。また、図６は、図５の円筒部４８を反時計回りに回転させたときのかご床水平調整装置４１を示す拡大図である。さらに、図７は、図５の円筒部４８を時計回りに回転させたときのかご床水平調整装置４１を示す拡大図である。まず、調整ボルト４３及び締結ナット４４を緩める。この後、嵌合部５０に嵌め合わされた円筒部４８を回しながら円筒部４８の角度を調整し、かご床１１を水平にする。このとき、円筒部４８を反時計回りに回すと、かご床１１と支え部材２３との間の間隔が狭くなり、かご床１１の下面が基準位置Ａから下方へ変位される（図６）。これに対し、円筒部４８を時計回りに回すと、かご床１１と支え部材２３との間の間隔が広がり、かご床１１の下面が基準位置Ａから上方へ変位される（図７）。【００４１】
この後、かご床１１が水平になっている状態で、締結ナット４４を締め付け、かご床固定部材４２の支え部材２３に対する位置を固定する。【００４２】
このようなエレベータのかごでは、調整ボルト４３の軸線に対して偏芯した円筒部４８が調整ボルト４３に設けられ、円筒部４８が嵌め合わされる嵌合部５０がかご床固定部材４２に設けられており、円筒部４８の角度を調整することによりかご床１１を水平に調整するようになっているので、かご床１１を容易に水平に調整することができる。また、調整ボルト４３及び締結ナット４４の締め付けによって、かご床１１の支え部材２３に対する位置を固定することができるので、かご床１１の位置固定のための位置固定装置を別個に設ける必要がなくなり、構造の簡素化を図ることができる。【００４３】
実施の形態３．
図８は、この発明の実施の形態３によるエレベータのかご２に設けられたかご床１１、支え装置２１及びかご床水平調整装置を示す断面図である。また、図９は、図８のかご床水平調整装置を示す分解斜視図である。図において、かご床１１と支え部材２３との間には、かご床１１を水平に調整するためのかご床水平調整装置６１が設けられている。かご床水平調整装置６１は、かご床１１に固定されたかご床固定部材６２と、かご床固定部材６２を支え部材２３に締着するための締結ボルト６３及び調整ナット６４とを有している。【００４４】
締結ボルト６３は、支え部材２３に設けられたボルト通し穴６５に通される棒状の通し部６６と、通し部６６の一端部に設けられた頭部６７とを有している。【００４５】
調整ナット６４には、円筒部６８が固定されている。調整ナット６４及び円筒部６８には、通し部６６が螺合されるねじ穴６９が貫通している。円筒部６８は、ねじ穴６９の軸線に対して偏芯している。即ち、円筒部６８及びねじ穴６９のそれぞれの中心軸線は、互いに異なり、かつ平行になっている。【００４６】
かご床固定部材６２は、支え部材２３の側面に沿って配置されている。また、かご床固定部材６２には、調整ナット６４に固定された円筒部６８が嵌め合わされる円筒状の嵌合部７０が設けられている。嵌合部７０は、かご床固定部材６２を貫通している。嵌合部７０の内径は、ボルト通し穴６５の内径よりも大きくなっている。ねじ穴６９は、嵌合部７０に嵌め合わされた円筒部６８が回転されることにより、嵌合部７０内で円周上を移動される。【００４７】
ボルト通し穴６５に通された通し部６６は、円筒部６８が嵌合部７０に嵌め合わされた調整ナット６４に螺合される。かご床固定部材６２は、ボルト通し穴６５に通された通し部６６と、通し部６６に螺合された調整ナット６４とにより、支え部材２３に締着されるようになっている。また、かご床固定部材６２の支え部材２３に対する上下方向についての位置は、嵌合部７０に嵌め合わされた円筒部６８の周方向についての角度を調整することにより、調整される。従って、かご床１１は、かご床固定部材６２の支え部材２３に対する位置の調整により、水平に調整可能になっている。他の構成は実施の形態１と同様である。【００４８】
次に、かご床１１を水平に調整するときの手順について説明する。図１０は、図８のかご床水平調整装置６１を示す拡大図である。また、図１１は、図１０の円筒部６８を反時計回りに回転させたときのかご床水平調整装置６１を示す拡大図である。さらに、図１２は、図１０の円筒部６８を時計回りに回転させたときのかご床水平調整装置６１を示す拡大図である。まず、締結ボルト６３及び調整ナット６４を緩める。この後、調整ナット６４を回しながら、嵌合部７０に嵌め合わされた円筒部６８の角度を調整し、かご床１１を水平にする。このとき、調整ナット６４を反時計回りに回すと、かご床１１と支え部材２３との間の間隔が狭くなり、かご床１１の裏面が基準位置Ａから下方へ変位される（図１１）。これに対し、調整ナット６４を時計回りに回すと、かご床１１と支え部材２３との間の間隔が広がり、かご床１１の裏面が基準位置Ａから上方へ変位される（図１２）。【００４９】
この後、かご床１１が水平になっている状態で、締結ボルト６３を回して締結ボルト６３及び調整ナット６４を締め付け、かご床固定部材６２の支え部材２３に対する位置を固定する。【００５０】
このように、円筒部６８を調整ナット６４に設け、円筒部６８が嵌め合わされる嵌合部７０をかご床固定部材６２に設けても、かご床固定部材６２の支え部材２３に対する上下方向についての位置を調整することができ、かご床１１を容易に水平に調整することができる。また、締結ボルト６３及び調整ボルト６４の締め付けによって、かご床１１の支え部材２３に対する位置を固定することができるので、かご床１１の位置固定のための位置固定装置を別個に設ける必要もなくなり、構造の簡素化を図ることができる。【００５１】
実施の形態４．
図１３は、この発明の実施の形態４によるエレベータのかごを示す斜視図である。図において、下枠６の中間部には、かご床１１の荷重を受けるための支え装置８１が設けられている。支え装置８１は、下枠６から下方へ突出する突出部材８２と、下枠６を挟んだ状態で下枠６及び突出部材８２に固定された一対の支持体８３とを有している。【００５２】
各支持体８３は、下枠６の長さ方向と交差する方向（交差方向）に沿ってそれぞれ配置されている。この例では、かご床１１の各第２の角部と下枠６の中央部とを結ぶ直線上に各支持体８３が配置されている。【００５３】
各支持体８３は、下枠６に固定され交差方向に沿って水平に配置された棒状の水平部材８４と、突出部材８２の下端部と水平部材８４の先端部とを結ぶ棒状の傾斜部材８５とを有している。水平部材８４及び傾斜部材８５のそれぞれの端部は、共通の接続部材８６に固定されている。従って、接続部材８６が下方の力を受けたときには、水平部材８４は引っ張り力を受け、傾斜部材８５は圧縮力を受ける。【００５４】
各接続部材８６とかご床１１との間には、かご床１１を水平に調整可能とするために、実施の形態１のかご床水平調整装置２５と同様のかご床水平調整装置が設けられている。他の構成は実施の形態１と同様である。【００５５】
このようなエレベータのかご２では、下枠６に固定された水平部材８４と、下枠６から下方へ突出する突出部材８２の下端部と水平部材８４の先端部とを結ぶ傾斜部材８５とを有する支持体８３がかご床１１の荷重を受けるようになっているので、支持体８３の上下方向についての強度に効果的に寄与する部分のみを残して、支持体８３の材料の量を効率良く削減することができる。これにより、支え装置８１の製造コストの低減化を図ることができるとともに、かご２の軽量化も図ることができる。【００５６】
なお、上記の例では、かご床１１を水平に調整可能とするために、実施の形態１のかご床水平調整装置２５と同様のかご床水平調整装置が各接続部材８６とかご床１１との間に設けられているが、実施の形態２あるいは実施の形態３のかご床水平調整装置４１あるいは６１と同様のかご床水平調整装置を各接続部材８６とかご床１１との間に設けてもよい。【００５７】
実施の形態５．
図１４は、この発明の実施の形態５によるエレベータのかごに設けられた支え装置を示す正面図である。また、図１５は、図１４の支え装置を示す側面図である。図において、下枠６の中間部には、かご床１１の荷重を受けるための支え装置９１が設けられている。支え装置９１は、下枠６から下方へ突出する突出部材９２と、下枠６を挟んだ状態で下枠６及び突出部材９２に設けられた一対の支持体９３とを有している。【００５８】
各支持体９３は、下枠６の長さ方向と交差する方向（交差方向）に沿ってそれぞれ配置されている。この例では、かご床１１の各第２の角部と下枠６の中央部とを結ぶ直線に沿って各支持体９３が配置されている。かご床１１の下面には、支持体９３に沿って配置された固定金具９４が固定されている。【００５９】
各支持体９３は、下枠６に設けられたピン（回動軸）９５を中心に回動可能な水平部材９６と、突出部材９２の下端部に設けられたピン（回動軸）９７を中心に回動可能な傾斜部材９８とを有している。【００６０】
傾斜部材９８は、水平部材９６に対して傾斜している。また、傾斜部材９８は、傾斜部材本体９９と、傾斜部材本体９９に設けられ、傾斜部材本体９９に対する位置が調整可能なブロック１００とを有している。【００６１】
傾斜部材本体９９は、ピン９７に取り付けられた円柱部１０１と、円柱部１０１に固定され、円柱部１０１の長さ方向へ延びるねじ棒１０２とを有している。ブロック１００は、ねじ棒１０２に設けられている。【００６２】
ねじ棒１０２は、ブロック１００に設けられたねじ棒通し穴１０３に通されている。これにより、ブロック１００は、ねじ棒１０２の長さ方向に沿って変位可能になっている。ねじ棒１０２には、ねじ棒１０２の長さ方向についてブロック１００を挟む一対の位置決め用ナット１０４が螺合されている。ブロック１００のねじ棒１０２に対する位置は、各位置決め用ナット１０４のねじ棒１０２に対する位置の調整により、調整される。また、ブロック１００のねじ棒１０２に対する位置の調整により、ピン９７とブロック１００との間隔Ｌが調整される。【００６３】
ブロック１００には、ピン９７と平行な棒状のボルト部１０５が固定されている。ボルト部１０５は、水平部材９６の他端部に設けられた貫通穴１０６と、固定金具９４に設けられた貫通穴１０７とに通されている。また、各貫通穴１０６，１０７を通されたボルト部１０５には、締結ナット１０８が螺合されている。水平部材９６の他端部及びブロック１００は、締結ナット１０８の締め付けにより、固定金具９４に接続される。【００６４】
図１６は、図１４のピン９７とブロック１００との間隔が広がる方向へブロック１００を変位させたときの支え装置９１を示す正面図である。図に示すように、ブロック１００のねじ棒１０２に対する位置を調整することにより、ピン９７とブロック１００との間隔がＬから（Ｌ＋ΔＬ）に広がると、固定金具９４のピン９７に対する水平距離はほとんど変化しないことから、固定金具９４は上方へ変位される。また、水平部材９６は、固定金具９４の上方への変位に伴って、上方へ回動される。これにより、かご床１１が上方へ変位される。【００６５】
これに対し、ブロック１００のねじ棒１０２に対する位置をピン９７に近づく方向へ調整すると、ピン９７とブロック１００との間隔がＬよりも狭くなる。従って、固定金具９４が下方へ変位され、水平部材９６が下方へ回動される。これにより、かご床１１が下方へ変位される。他の構成は実施の形態１と同様である。【００６６】
次に、かご床１１を水平に調整するときの手順について説明する。まず、締結ナット１０８を緩めた後、かご床１１が水平になるように、各位置決め用ナット１０４を回しながら、ブロック１００のねじ棒１０２に対する位置を調整する。この後、かご床１１が水平になったところで、各位置決めナット１０４を締め付けて、ブロック１００のねじ棒１０２に対する位置を固定する。この後、締結ナット１０８を締め付けて、ブロック１００及び水平部材９６を固定金具９４に固定する。【００６７】
このようなエレベータのかごでは、固定金具９４に接続されるブロック１００が傾斜部材本体９９に設けられ、ブロック１００の傾斜部材本体９９に対する位置を調整することにより、かご床１１を水平に調整するようにしたので、かご床１１を容易に水平に調整することができる。また、かご床１１の支え装置９１に対する位置を固定することもできるので、かご床１１の位置固定のための位置固定装置を別個に設ける必要もなくなり、構造の簡素化を図ることができる。【００６８】
実施の形態６．
図１７は、この発明の実施の形態６によるエレベータのかごを示す斜視図である。図において、かご床１１の縁部及び各縦枠８，９間には、一対の斜め部材１７，１９がそれぞれ接続されている。一方の斜め部材１７の一端部は一方の縦枠８に接続され、一方の斜め部材１７の他端部はかご床１１の一方の縦方向縁部に接続されている。また、他方の斜め部材１９の一端部は他方の縦枠９に接続され、他方の斜め部材１９の他端部はかご床１１の他方の縦方向縁部に接続されている。【００６９】
一方の斜め部材１７の一端部は、縦枠８の上部に接続されている。一方の斜め部材１７の他端部は、一方の縦方向縁部の縦枠８よりも支え部材２３に近い部分に接続されている。また、他方の斜め部材１９の一端部は、縦枠９の上部に接続されている。他方の斜め部材１９の他端部は、他方の縦方向縁部の縦枠９よりも支え部材２３に近い部分に接続されている。【００７０】
なお、各上記実施の形態で示す各縦柱１３，１４、各奥行き方向横部材１５、各幅方向横部材１６、各第２の斜め部材１８，２０は、かご２には設けられていない。他の構成は実施の形態１と同様である。【００７１】
このようなエレベータのかごであっても、例えばかご床１１の第２の角部に荷重が集中し、かご床１１が偏荷重を受けた場合に、偏荷重を受けた第２の角部に近い側の斜め部材１７と、かご床１１の縦方向縁部とがなすトラス構造を介して、偏荷重の一部を一方の縦枠８に伝達することができる。これにより、偏荷重を分散することができ、各縦枠８，９にかかる曲げ応力の低減を図ることができる。【００７２】
これにより、かご床１１や各縦枠８，９、下枠６の強化を回避することができ、材料コストの増加やかご２の重量の増加を防止することができる。従って、かごガイドレール３や主索、巻上機等の機器の仕様を標準仕様とすることができ、かご床１１が受ける偏荷重を簡単な構成で容易に支持することができる。【００７３】
実施の形態７．
図１８は、この発明の実施の形態７によるエレベータのかごを示す斜視図である。図において、下枠６の中間部には、かご床１１の荷重を受けるための支え装置８１が設けられている。支え装置８１は、実施の形態４の支え装置８１と同様の構成とされている。他の構成は実施の形態６と同様である。【００７４】
このようにすれば、かご床１１が受ける偏荷重を簡単な構成で容易に支持することができるとともに、製造コストの低減やかご２の軽量化も図ることができる。【００７５】
実施の形態８．
図１９は、この発明の実施の形態８によるエレベータのかごを示す斜視図である。図において、下枠６の中間部には、かご床１１の荷重を受けるための支え装置１１１が設けられている。支え装置１１１は、下枠６から下方へ突出する突出部材１１２と、下枠６を挟んだ状態で下枠６及び突出部材１１２に設けられた一対の支持体１１３とを有している。【００７６】
各支持体１１３は、突出部材１１２及びかご床１１間に接続された傾斜部材１１４を有している。傾斜部材１１４は、かご床１１に対して傾斜されている。傾斜部材１１４の一端部は、突出部材１１２の下端部に接続され、傾斜部材１１４の他端部は、かご床１１の下面に固定された接続部材１１５に接続されている。他の構成は実施の形態６と同様である。【００７７】
このようなエレベータのかごであっても、いずれかの斜め部材１７，１９と、かご床１１の縦方向縁部とがなすトラス構造を介して、かご床１１の偏荷重の一部を各縦枠８，９のいずれかに伝達することができるので、各縦枠８，９にかかる曲げ応力の低減を図ることができる。【００７８】
なお、上記の例では、実施の形態６に示すかごに支え装置１１１が設けられているが、実施の形態１に示すかごに支え装置１１１を設けてもよい。
【図１】
2007066402.tif 000003
【図２】
2007066402.tif 000004
【図３】
2007066402.tif 000005
【図４】
2007066402.tif 000006
【図５】
2007066402.tif 000007
【図６】
2007066402.tif 000008
【図７】
2007066402.tif 000009
【図８】
2007066402.tif 000010
【図９】
2007066402.tif 000011
【図１０】
2007066402.tif 000012
【図１１】
2007066402.tif 000013
【図１２】
2007066402.tif 000014
【図１３】
2007066402.tif 000015
【図１４】
2007066402.tif 000016
【図１５】
2007066402.tif 000017
【図１６】
2007066402.tif 000018
【図１７】
2007066402.tif 000019
【図１８】
2007066402.tif 000020
【図１９】
2007066402.tif 000021
【国際調査報告】
2007066402.tif 000022
2007066402.tif 000023
2007066402.tif 000024
2007066402.tif 000025